(57)【要約】      （修正有）【課題】車椅子のファッション性を高め、その使用価値を向上させるために使用される車椅子用取替えカバーを提供する。【解決手段】この車椅子用取替えカバーにおいては、シート部と背凭れ部を備えた車椅子において、前記シート部にシートカバーを着脱可能に取り付けるとともに前記背凭れ部に背凭れカバーを着脱可能に取り付け、これらのカバーは別々であるとともに各々のデザインは統一されているものである。従って、シートカバーと背凭れカバーとの間に統一美が発生する。シートカバー及び背凭れカバーを介して、車椅子のファッション性は向上し、その使用価値は高まるものである。また、各々カバーがあるにも係らず背凭れ部とシート部との間に手を入れることができる結果、カバーをしたまま車椅子を折り畳むことができるし、各々のカバーが別体であるため皺が発生しにくい。【選択図】図１
0003170394.tif 000002
【実用新案登録請求の範囲】
【請求項１】
シート部と背凭れ部を備えた車椅子において、前記シート部にシートカバーを着脱可能に取り付けるとともに前記背凭れ部に背凭れカバーを着脱可能に取り付け、これらのカバーは別々であるとともに各々のデザインは統一されていることを特徴とする車椅子用取替えカバー。
【請求項２】
前記車椅子にフットサポートを設置し、このフットサポートのデザインが前記シートカバー及び前記背凭れカバーのデザインと統一されていることを特徴とする請求項１の車椅子用取替えカバー。
【請求項３】
前記背凭れカバーは帯状の背凭れカバー本体とこの背凭れカバー本体の上端部の両側端縁に取り付けられた巻付帯とからなり、前記背凭れカバー本体を前記背凭れ部の前面に配置し、前記巻付帯より上部を前記背凭れ部の上端縁に巻き掛け、且つ、前記巻付帯を前記背凭れ部の側端縁に巻き掛け、且つ、前記背凭れカバー本体の下部を前記背凭れ部の下端縁に巻き掛け前記背凭れ部の裏面に沿って上昇させ、前記背凭れ部の裏面において、前記背凭れカバー本体の上部と前記巻付帯の先端部と前記背凭れカバー本体の下部とを重ね合わせ、面ファスナーを介して着脱可能に接続したことを特徴とする請求項１又は請求項２の車椅子用取替えカバー。
【請求項４】
前記シートカバーはクッション材の封入された袋体とこの袋体の後端部に取り付けられた巻掛帯と、前記袋体の両側端縁に取り付けられた巻付帯と前記袋体の表面に着脱可能に重設されたデザインシートとからなり、このデザインシートを表面にした状態で前記袋体を、シート部に載置し、前記巻付帯を前記シート部の側端縁に巻き掛け、シート部の裏面において面ファスナーを介して着脱可能に接続し、且つ、前記巻掛帯を前記シート部の裏面に沿って巻き掛け、その先端縁と前記袋体の裏面とを面ファスナーを介して着脱可能に接続したことを特徴とする請求項１，請求項２又は請求項３の車椅子用取替えカバー。
【考案の詳細な説明】
【技術分野】
【０００１】
この考案は車椅子用取替えカバーに関し、車椅子のファッション性を高め、その使用価値を向上させるために使用されるものである。
【背景技術】
【０００２】
従来におけるこの種の取替えカバーは、シート部と背凭れ部を備えた車椅子において、前記シート部及び前記背凭れ部にカバーを着脱可能に取り付け、個性のあるファッション性を出していた。
【０００３】
【特許文献１】実登録３０５３１５７号公報
【考案の開示】
【考案が解決しようとする課題】
【０００４】
この考案の課題は車椅子用取替えカバーを介して、車椅子のファッション性を更に高めることである。
【０００５】
この課題を達成するために、考案者は鋭意研究し、この考案を完成した。
【課題を解決するための手段】
【０００６】
この考案に係る車椅子用取替えカバーにおいては、シート部と背凭れ部を備えた車椅子において、前記シート部にシートカバーを着脱可能に取り付けるとともに前記背凭れ部に背凭れカバーを着脱可能に取り付け、これらのカバーは別々であるとともに各々のデザインは統一されているものである。
【０００７】
この場合、前記車椅子にフットサポートを設置し、このフットサポートのデザインが前記シートカバー及び前記背凭れカバーのデザインと統一することもできる。
【０００８】
また、前記背凭れカバーは帯状の背凭れカバー本体とこの背凭れカバー本体の上端部の両側端縁に取り付けられた巻付け帯とからなり、前記背凭れカバー本体を前記背凭れ部の前面に配置し、前記巻付帯より上部を前記背凭れ部の上端縁に巻き掛け、且つ、前記巻付帯を前記背凭れ部の側端縁に巻き掛け、且つ、前記背凭れカバー本体の下部を前記背凭れ部の下端縁に巻き掛け前記背凭れ部の裏面に沿って上昇させ、前記背凭れ部の裏面において、前記背凭れカバー本体の上部と前記巻付帯の先端部と前記背凭れカバー本体の下部とを重ね合せ、面ファスナーを介して着脱可能に接続することもできる。
【０００９】
また、前記シートカバーを、クッション材の封入された袋体とこの袋体の後端部に取り付けられた巻掛帯と、前記袋体の両側端縁に取り付けられた巻付帯と前記袋体の表面に着脱可能に重設されたデザインシートとから構成し、このデザインシートを表面にした状態で前記袋体を、シート部に載置し、前記巻付帯を前記シート部の側端縁に巻き掛け、シート部の裏面において面ファスナーを介して着脱可能に接続し、且つ、前記巻掛帯を前記シート部の裏面に沿って巻き掛け、その先端縁と前記袋体の裏面とを面ファスナーを介して着脱可能に接続することもできる。
【考案の効果】
【００１０】
この考案に係る車椅子用取替えカバーは上記のように構成されているため、即ち、シート部と背凭れ部を備えた車椅子において、前記シート部にシートカバーを着脱可能に取り付けるとともに前記背凭れ部に背凭れカバーを着脱可能に取り付け、これらのカバーは別々であるとともに各々のデザインは統一されているため、シートカバーと背凭れカバーとの間に統一美が発生する。
【００１１】
よって、この車椅子用取替えカバーを使用すれば、シートカバー及び背凭れカバーを介して、車椅子のファッション性は向上し、その使用価値は高まるものである。また、各々カバーがあるにも係らず背凭れ部とシート部との間に手を入れることができる結果、カバーをしたまま車椅子を折り畳むことができるし、各々のカバーが別体であるため皺が発生しにくいものである。
【００１２】
この場合、前記車椅子にフットサポートを設置し、このフットサポートのデザインが前記シートカバー及び前記背凭れカバーのデザインと統一すれば、フットサポートを加えてまで統一美が発生し、車椅子のファッション性はより一層向上する。
【００１３】
また、前記背凭れカバーは帯状の背凭れカバー本体とこの背凭れカバー本体の上端部の両側端縁に取り付けられた巻付帯とからなり、前記背凭れカバー本体を前記背凭れ部の前面に配置し、前記巻付帯より上部を前記背凭れ部の上端縁に巻き掛け、且つ、前記巻付帯を前記背凭れ部の側端縁に巻き掛け、且つ、前記背凭れカバー本体の下部を前記背凭れ部の下端縁に巻き掛け前記背凭れ部の裏面に沿って上昇させ、前記背凭れ部の裏面において、前記背凭れカバー本体の上部と前記巻付帯の先端部と前記背凭れカバー本体の下部とを重ね合せ、面ファスナーを介して着脱可能に接続するようにすれば、背凭れカバーを綺麗な状態で安定良く取り付けることができる。
【００１４】
また、前記シートカバーを、クッション材の封入された袋体とこの袋体の後端部に取り付けられた巻掛帯と、前記袋体の両側端縁に取り付けられた巻付帯と前記袋体の表面に着脱可能に重設されたデザインシートとから構成し、このデザインシートを表面にした状態で前記袋体を、シート部に載置し、前記巻付帯を前記シート部の側端縁に巻き掛け、シート部の裏面において面ファスナーを介して着脱可能に接続し、且つ、前記巻掛帯を前記シート部の裏面に沿って巻き掛け、その先端縁と前記袋体の裏面とを面ファスナーを介して着脱可能に接続すれば、シートカバーを綺麗な状態で安定良く取り付けることができるとともにデザインシートを取り替えることによってファッション性を更に高めることができる。
【考案を実施するための最良の形態】
【００１５】
「背凭れカバー」、「シートカバー」及び「フットサポート」は布材が適している。
【００１６】
「クッション材」としては、発泡ウレタンが適しているがスポンジ状の弾性材であればいずれでも良い。
【００１７】
「デザインの統一」とは、同一カラー、同一模様、同一柄等である。
【実施例】
【００１８】
以下、この考案の実施例を図面に基づいて説明する。
【００１９】
図１はこの考案に係る車椅子用取替えカバーの正面斜視図、図２は同背面図、図３は同部分底面図、図４は背凭れカバーの表面図、図５は同背面図、図６及び図７は同折り畳む工程を示した図、図８はシートカバーの表面図、図９は同背面図である。
【００２０】
図１〜３において、Ａは車椅子、１０はそのフレームである。１１，１１は駆動輪、１２，１２はキャスターであり、いずれもフレーム１０に設置されている。１３，１３は取っ手であり、フレーム１０から延びている。この取っ手１３と取っ手１３の間に背凭れ部１４が設置されている。１５はシート部であり、フレーム１０の中央部に設置されている。
１６，１６はフットレストである。
【００２１】
２０は前記背凭れ部１４を覆っている背凭れカバー、３０は前記シート部１５を覆っているシートカバー、５０は前記フットレスト１６，１６の間に張設されたフットサポートである。これらの表面デザインは、チェック模様であり、全体的に統一されている。
【００２２】
図２及び図４〜７に基づいて、前記背凭れカバー２０について詳述する。
【００２３】
図において、２１は帯状の背凭れカバー本体であり、前記背凭れカバー２０の主要部を構成している。この背凭れカバー本体２１の表面にはチェック模様が施されている。２２，２２は巻付帯であり、前記背凭れカバー本体２１の上端部の両側端縁に縫着されている。また、２３，２３、…は固定帯であり、前記背凭れカバー本体２１の上部に縫着されている。この固定帯２３，２３、…は上方に延びている。
【００２４】
２４，２４は前記巻付帯２２，２２の裏面の先端縁に縫着された第一面ファスナー、２５、２５は前記背凭れカバー本体２１の表面の下部に縫着された第二面ファスナー、２６は前記背凭れカバー本体２１の裏面の上端縁に縫着された第三面ファスナー、２７は前記背凭れカバー本体２１の表面の略下部に縫着された第四面ファスナー、２８，２８、…は前記固定帯２３，２３、…の先端縁に縫着された第五面ファスナー、
２９，２９、…は前記背凭れカバー本体２１の表面の下部に縫着された第六面ファスナーである。
【００２５】
この背凭れカバー２０を車椅子Ａの背凭れ部１４に設置する場合には、まず、前記背凭れカバー本体２１を前記背凭れ部１４の前面に配置する。そして、前記背凭れカバー本体２１の前記巻付帯２２，２２より上部を前記背凭れ部１４の上端縁に巻き掛ける。そして、前記巻付帯２２，２２を前記背凭れ部１４の側端縁に巻き掛ける。且つ、前記背凭れカバー本体２１の下部を前記背凭れ部１４の下端縁に巻き掛け前記背凭れ部の裏面に沿って上昇させる（図６参照）。この状態で前記固定帯２３，２３、…を前記背凭れカバー本体２１に重ね、前記第五面ファスナー２８，２８，…及び第六面ファスナー２９，２９、…を介して接着する。その後、前記巻付帯２２，２２の先端部を前記背凭れカバー本体２１に重ね、前記第一面ファスナー２４，２４及び第二面ファスナー２５，２５を介して接着する（図７を参照）。その後、前記背凭れカバー本体２１の上端部をこれらの重ね部（２８，２９、２４，２５）を覆うように、重ね、前記第三面ファスナー２６及び第四面ファスナー２７を介して接着する。
【００２６】
次に、図３、図８及び図９に基づいてシートカバー３０について詳述する。
【００２７】
図において、３１は前記シートカバー３０の袋体である。この袋体３１は略正方形状であり、ウレタン製のクッション材が封入されている。３２は巻掛帯であり、前記袋体３１の後端部に縫着されている。３３，３３は巻付帯であり、前記袋体３１の両側端縁に縫着されている。又、３４がデザインシートであり、前記袋体３１の表面に面ファスナー３５，３５を介して着脱可能に接着されている。このデザインシート３４は布製であり、チェック模様が施されている。
【００２８】
３６，３６は前記巻付帯３３，３３の先端縁に縫着された第七面ファスナー、３７は前記巻掛帯３２の表面の上端縁に縫着された第八面ファスナー、３８は前記袋体３１の裏面の下端縁に縫着された第九面ファスナーである。なお、３９は前記袋体３１の重ね開口部であり、この開口部３９を介して前記クッション材は出し入れされる。
【００２９】
このシートカバー３０を車椅子Ａのシート部１５に設置する場合には、まず、前記デザインシート３４を表面にした状態で前記袋体３１を、シート部１５に載置する。そして、前記巻付帯３３，３３前記シート部１５の側端縁に巻き掛け、シート部の裏面において第七面ファスナー３６，３６を介して着脱可能に接続する。その後、前記巻掛帯３２を前記シート部１５の裏面に沿って巻き掛け、これらの重ね部（３６，３６）を覆うように、重ね、前記第八面ファスナー３７及び第九面ファスナー３８を介して接着する。
【産業上の利用可能性】
【００３０】
この考案に係る車椅子用取替えカバーは、シートカバーと背凭れカバーとの間に統一美が発生する。このため、シートカバー及び背凭れカバーを介して、車椅子のファッション性は向上し、その使用価値は高まる。各々カバーがあるにも係らず背凭れ部とシート部との間に手を入れることができるため、カバーをしたまま車椅子を折り畳むことができるし、各々のカバーが別体であるため皺が発生しにくいものである。
産業上の利用可能性は高いものである。
【図面の簡単な説明】
【００３１】
【図１】図１はこの考案に係る車椅子用取替えカバーの正面斜視図である。
【図２】図２は同背面図である。
【図３】図３は同部分底面図である。
【図４】図４は背凭れカバーの表面図である。
【図５】図５は同背面図である。
【図６】図６は同折り畳む工程を示した図である。
【図７】図７は同折り畳む工程を示した図である。
【図８】図８はシートカバーの表面図である。
【図９】図９は同背面図である。
【符号の説明】
【００３２】
Ａ  …  車椅子
１０  …フレーム
１１  …  駆動輪
１２  …  キャスター
１３  …  取っ手
１４  …  背凭れ部
１５  …  シート部
１６  …  フットレスト
２０  …  背凭れカバー
２１  …  背凭れカバー本体
２２  …  巻付帯
２３  …  固定帯
２４  …  第一面ファスナー
２５  …  第二面ファスナー
２６  …  第三面ファスナー
２７  …  第四面ファスナー
２８  …  第五面ファスナー
２９  …  第六面ファスナー
３０  …  シートカバー
３１  …  袋体
３２  …  巻掛帯
３３  …  巻付帯
３４  …  デザインシート
３５  …  面ファスナー
３６  …  第七面ファスナー
３７  …  第八面ファスナー
３８  …  第九面ファスナー
３９  …  重ね開口部
５０  …フットサポート
【図１】
0003170394.tif 000003
【図２】
0003170394.tif 000004
【図３】
0003170394.tif 000005
【図４】
0003170394.tif 000006
【図５】
0003170394.tif 000007
【図６】
0003170394.tif 000008
【図７】
0003170394.tif 000009
【図８】
0003170394.tif 000010
【図９】
0003170394.tif 000011